(57)【要約】【課題】カーペットを床面に敷設する際に使用していた従来のグリッパーを廃止することによって、上向きピンや釘打ち等の問題点を解消すると共に、施工が容易であって、カーペットに変形が生じ難く、クッション性の良好な床環境を提供することができるカーペットの敷設用シート及びカーペットの敷設施工法を提供する。【解決手段】床面と床面に敷設するカーペットとの間に介在させる敷設用シートにおいて、この敷設用シートは、カーペットを敷設すべき床面の周辺に沿って接着剤で固定する所定幅の帯状圧縮シートと、この帯状圧縮シートに囲まれた内側の床面に固定するクッション性を有してなるクッションシートとから成り、床面に固定した帯状圧縮シートとクッションシートとの上面に敷設するカーペットの周辺部を少なくとも帯状圧縮シートに対して接着剤で固定するようにした。【選択図】図１
2011241649.tif 000002
【特許請求の範囲】
【請求項１】
床面と床面に敷設するカーペットとの間に介在させる敷設用シートにおいて、この敷設用シートは、カーペットを敷設すべき床面の周辺に沿って接着剤で固定する所定幅の帯状圧縮シートと、この帯状圧縮シートに囲まれた内側の床面に固定するクッション性を有してなるクッションシートとから成り、床面に固定した帯状圧縮シートとクッションシートとの上面に敷設するカーペットの周辺部を少なくとも帯状圧縮シートに対して接着剤で固定するようにしたことを特徴とするカーペットの敷設用シート。
【請求項２】
帯状圧縮シートとしては、不織布を圧縮してなる圧縮フェルトを用いたことを特徴とする請求項１記載のカーペットの敷設用シート。
【請求項３】
クッションシートとしては、帯状圧縮シートよりも密度が粗であって弾力性を有するクッション材料を用い、このクッションシートの周辺部を床面に接着剤で固定することによって接着剤が設けられていないクッションシートの内側面のクッション性を確保するようにしたことを特徴とする請求項１又は２記載のカーペットの敷設用シート。
【請求項４】
接着剤としては、溶液状の接着剤又は両面テープを使用するようにしたことを特徴とする請求項１、２又は３記載のカーペットの敷設用シート。
【請求項５】
カーペットを敷設すべき床面の周辺に沿って所定幅の帯状圧縮シートを接着剤で固定すると共に、帯状圧縮シートに囲まれた内側の床面にクッション性を有してなるクッションシートを固定し、次いで床面に固定した帯状圧縮シートとクッションシートとの上面に敷設したカーペットの周辺部を少なくとも帯状圧縮シートに対して接着剤で固定するようにしたことを特徴とするカーペットの敷設施工法。
【請求項６】
床面に固定した帯状圧縮シートとクッションシートとの上面に敷設したカーペットの周辺部を固定する際、帯状圧縮シートの上面とクッションシートの周辺の上面に塗布した接着剤で固定するようにしたことを特徴とする請求項５記載のカーペットの敷設施工法。
【請求項７】
カーペットを敷設すべき床面の周辺に沿って所定幅の帯状圧縮シートを接着剤で固定する際、この帯状圧縮シートの外周端部と壁面との間にカーペットの厚さを収容し得る隙間を設け、この帯状圧縮シートに囲まれた内側の床面にクッション性を有してなるクッションシートを固定し、次いで床面に固定した帯状圧縮シートとクッションシートとの上面に対して面積をやや大にして敷設したカーペットの周辺部を少なくとも帯状圧縮シートに対して接着剤で固定すると共に、カーペットの外周端部を帯状圧縮シートと壁面との隙間に押し込むようにしたことを特徴とするカーペットの敷設施工法。
【発明の詳細な説明】
【技術分野】
【０００１】
本発明は、カーペットをコンクリート等の床面に敷設する際に使用するカーペットの敷設用シート、及びこの敷設用シートを用いたカーペットの敷設施工法に関する。
【背景技術】
【０００２】
従来から、カーペットをコンクリート等の床面に敷設する施工方法として、主に、直貼り工法とグリッパー工法とが用いられている。
【０００３】
このうち、直貼り工法は、カーペットの裏面に接着剤を塗布して床面に直に固定する工法であるため、カーペットの敷設面全体がクッション性に乏しく、その上を歩いたり座ったりする際に、硬い感触を与えるという欠点があった。また、この直貼り工法は、カーペットの裏面全体が硬化した接着剤を介してコンクリート等の床面に固定されているため、カーペットの繊維が傷みやすく、人が歩くとき等の振動が床面に直に伝わることで、高い騒音を発生する等の問題もあった。
【０００４】
また、グリッパー工法は、床面の周辺にグリッパーとして木質の板材を固定すると共にその内側にフェルトを敷き詰め、それらの上面にカーペットを敷設した工法である。このような従来のグリッパー工法においては、グリッパーを構成する板材に多数のピンを上向きに設け、夫々のピンを壁方向、即ちカーペットの外周方向へ傾けた状態にする。そして、その上方に敷設したカーペットの周辺部を多数のピンに引掛けることによって、カーペットが圧縮したり、ずれたりする際に発生する引張り力に抵抗するようにしている。
【０００５】
ところが、このグリッパー工法は、グリッパーをなす板材に上向きの多数のピンが設けられているため、カーペットが磨耗して薄くなった場合、その上を歩く者がピンの先端に靴下等を引掛けて損傷したり、怪我をすることもあった。
【０００６】
また、上記のグリッパー工法は、グリッパーとして用いられた板材を床面に固定する際、このグリッパーを釘でコンクリート面等に打設するため、釘打ち作業に多大な労力が必要となり、熟練した作業員の確保の問題、釘打ちの際に発生する騒音問題、作業員の職業病とも言える腱鞘炎、筋肉痛等の問題、さらには釘打ち作業の際にハンマーが壁材等に当って壁材を損傷するおそれがある等の問題があった。
【０００７】
このような従来のグリッパー工法の問題を解消すべく、特許文献１に記載されているようにピンレスグリッパーが開発されている。この文献のピンレスグリッパーは、合板又は木板からなる木質板で構成され、従来のような上向きのピンが設けられていないものの、グリッパーを床面に固定するには、従来と同様の釘打ちを必要とするものであった。従って、従来のグリッパーをコンクリート床面に釘で打設する際に生じる上記の問題点は、何ら解消し得ないものであった。
【０００８】
さらに、この特許文献１の工法においては、上記のグリッパーは木質板で構成され、コンクリート床面等に複数の釘で固定されているため、コンクリート床面の平坦性が確保されていない場合、カーペットの下部でグリッパーにガタツキが生じるおそれがある。また、木質板で構成されたグリッパーが変形することもあり、さらに釘打ちが甘い場合、或はコンクリートの経年劣化により釘の固定力が甘くなった場合、グリッパーにガタが生じ、その上を人が踏み込んだとき、異常音を発するというような問題もあった。
【先行技術文献】
【特許文献】
【０００９】
【特許文献１】特開平９−３０２９０５号公報
【発明の概要】
【発明が解決しようとする課題】
【００１０】
本発明は上記の問題点を解消するためになされたもので、カーペットを床面に敷設する際に使用していた従来のグリッパーを廃止することによって、上向きピンや釘打ち等の必要のない構成とすると共に、施工が容易であって、カーペットに変形が生じ難く、クッション性の良好な床環境を提供することができるカーペットの敷設用シート及びカーペットの敷設施工法を提供することを目的とする。
【課題を解決するための手段】
【００１１】
上記の目的を達成するために、本発明の請求項１のカーペットの敷設用シートは、床面と床面に敷設するカーペットとの間に介在させる敷設用シートにおいて、この敷設用シートは、カーペットを敷設すべき床面の周辺に沿って接着剤で固定する所定幅の帯状圧縮シートと、この帯状圧縮シートに囲まれた内側の床面に固定するクッション性を有してなるクッションシートとから成り、床面に固定した帯状圧縮シートとクッションシートとの上面に敷設するカーペットの周辺部を少なくとも帯状圧縮シートに対して接着剤で固定するようにしたことを特徴とする。
【００１２】
また、本発明の請求項２のカーペットの敷設用シートは、請求項１において、帯状圧縮シートとしては、不織布を圧縮してなる圧縮フェルトを用いたことを特徴とする。
【００１３】
また、本発明の請求項３のカーペットの敷設用シートは、請求項１又は２において、クッションシートとしては、帯状圧縮シートよりも密度が粗であって弾力性を有するクッション材料を用い、このクッションシートの周辺部を床面に接着剤で固定することによって接着剤が設けられていないクッションシートの内側面のクッション性を確保するようにしたことを特徴とする。
【００１４】
また、本発明の請求項４のカーペットの敷設用シートは、請求項１、２又は３において、接着剤としては、溶液状の接着剤又は両面テープを使用するようにしたことを特徴とする。
【００１５】
また、本発明の請求項５のカーペットの敷設施工法は、カーペットを敷設すべき床面の周辺に沿って所定幅の帯状圧縮シートを接着剤で固定すると共に、帯状圧縮シートに囲まれた内側の床面にクッション性を有してなるクッションシートを固定し、次いで床面に固定した帯状圧縮シートとクッションシートとの上面に敷設したカーペットの周辺部を少なくとも帯状圧縮シートに対して接着剤で固定するようにしたことを特徴とする。
【００１６】
また、本発明の請求項６のカーペットの敷設施工法は、請求項５において、床面に固定した帯状圧縮シートとクッションシートとの上面に敷設したカーペットの周辺部を固定する際、帯状圧縮シートの上面とクッションシートの周辺の上面に用いた接着剤で固定するようにしたことを特徴とする。
【００１７】
さらに、本発明の請求項７のカーペットの敷設施工法は、カーペットを敷設すべき床面の周辺に沿って所定幅の帯状圧縮シートを接着剤で固定する際、この帯状圧縮シートの外周端部と壁面との間にカーペットの厚さを収容し得る隙間を設け、この帯状圧縮シートに囲まれた内側の床面にクッション性を有してなるクッションシートを固定し、次いで床面に固定した帯状圧縮シートとクッションシートとの上面に対して面積をやや大にして敷設したカーペットの周辺部を少なくとも帯状圧縮シートに対して接着剤で固定すると共に、カーペットの外周端部を帯状圧縮シートと壁面との隙間に押し込むようにしたことを特徴とする。
【発明の効果】
【００１８】
本発明によるカーペットの敷設用シート及びカーペットの敷設施工法を用いることにより、従来から普及していた、上向きピンを有すると共に、床面に対して釘打ちで固定するグリッパーを廃止することが可能となる。即ち、本発明では、従来のグリッパーの代わりに、帯状圧縮シートを使用し、これを床面に固定するには、接着剤の塗布作業が主な施工内容となるため、労力が非常に軽減される。従って、従来の金槌を使用した釘打ち作業が原因とされている腱鞘炎、筋肉痛等を防止することができる。また、金槌を使用しないため、周辺の壁材を損傷したりすることもなく、騒音を発生することもない。
【００１９】
また、上記のように従来から使用していたグリッパーを用いないため、従来のグリッパーに設けられているような上向きのピンで足を傷つけたり、靴下を損傷したりすることがなく、住環境の安全面においても有益である。さらに、従来のグリッパーをコンクリート等の床面に固定するために使用していた多数の釘が不要となるため、コンクリートが劣化して釘が緩む等の不都合も生じることがない。また、多数の釘に要していたコストを削減すると共に、多数の釘を打設する釘打ち作業に要していた作業員の労力を解消することも可能となる。さらに、従来のグリッパーに上方に向けて固定していた多数のピンもまた不要であり、全体的な材料費の削減に有益となる。
【００２０】
さらに、床面に対してカーペットの周辺部を固定するために用いる帯状圧縮シートとして、例えば不織布を圧縮してなる圧縮フェルトを用いる等のように、繊維等の構成材料を圧縮することによって、接着剤の吸収が少なく、かつ繊維間の結合を強固にして接着性を良くし、カーペットの周辺部に対して固定保持力を強化し、カーペットの変形を防止することが可能となる。
【００２１】
さらにまた、カーペットの周辺部を帯状圧縮シートに対して接着剤で固定しているため、カーペットを面方向に引張る力や、カーペットを縮小又は拡大する等の変形に対して抵抗力を発揮するストッパーとして作用し、敷設施工時のカーペットの平面形状を良好に保つことが可能となる。
【００２２】
さらに、帯状圧縮シートで囲繞された内側の床面にはクッション性を有するクッションシートが設けられ、しかもこのクッションシートはその周辺部を床面に接着剤で固定することにより、接着剤が設けられていない広範囲の内側面においてクッション性が確保される。従って、カーペットの上を歩いたり座ったりする者が、軟らかい感触を受けることができ、居住環境もまた向上するものである。
【図面の簡単な説明】
【００２３】
【図１】本発明の実施例に係る壁際の敷設用シート及びカーペットの断面図であり、（ａ）は帯状圧縮シート及びカーペットの端部を壁面に接触した状態を示し、（ｂ）は帯状圧縮シートと壁面とに隙間を形成し、この隙間にカーペットの外周端部を入れ込んだ状態を示す。
【図２】本発明の実施例に係るカーペットの敷設用シートに関する平面図であり、カーペットの角部を部分的に切り欠く（切欠き線をＣＵＴで示す）ことによって、その内部の接着剤、敷設用シートである帯状硬質及びクッションシートの敷設状態を示す。
【図３】（ａ）〜(ｄ)は、本発明の実施例に係るカーペットの敷設施工法の工程を示す断面図である。
【図４】本発明の実施例に係るカーペットの敷設用シートを用いた場合の作用について説明する断面図である。
【発明を実施するための形態】
【００２４】
本発明の実施例について図面を参照しながら説明する。
【００２５】
本発明のカーペットの敷設用シート１は、図１（ａ）、（ｂ）又は図２に示すように、床面Ｆと床面Ｆに敷設するカーペット２との間に介在させる敷設用シート１であって、この敷設用シート１は、カーペット２を敷設すべき床面Ｆの周辺に沿って接着剤５で固定する所定幅の帯状圧縮シート３と、この帯状圧縮シート３に囲まれた内側の床面Ｆに固定するクッション性を有してなるクッションシート４とから構成されている。
【００２６】
なお、図１(ａ)に示すように、帯状圧縮シート３及びカーペット２の端部を壁面Ｗに接触した状態にする場合、外周端部がほつれ難いタフテッドカーペットを敷設するのに好適する。また、図１（ｂ）に示すように、帯状圧縮シート３と壁面Ｗとに隙間Ｃを形成する場合、端部がほつれ易いウィルトンカーペットを敷設するのに好適し、この場合、壁面Ｗとの隙間Ｃにカーペット２の端部を押し込んだ状態（押し込み部６）にする。
【００２７】
上記の構成に用いた帯状圧縮シート３としては、不織布を圧縮してなる圧縮フェルトを用いた構成とするのが好ましい。即ち、帯状圧縮シート３の材料としては、ポリエステル、ナイロンなどの合成繊維、またはレーヨンや木綿等の繊維、その他の不織布の原料に加工できる繊維等の物質を使用することができる。また、これらの材料を平行または不定方向に配列させ、合成樹脂接着剤で結合し、フェルト状にしたものを、厚さ約２ｍｍ又は厚さ約４ｍｍ程度に圧縮して硬質にし、図１（ａ）、（ｂ）に図示のＢ１に相当する約２２０ｍｍ〜２５０ｍｍの幅を有する帯状に形成する。
【００２８】
ただし、この帯状圧縮シート３の幅は、約２２０ｍｍ〜２５０ｍｍに限定されることなく、床面積の大きさに対応して幅を変えて幾種類かの帯状圧縮シート３を形成することも可能である。さらに、所定幅の帯状圧縮シート３を複数並列することによって、帯状圧縮シート３の全体幅を変え、施工現場の床面積に対応するようにしてもよい。
【００２９】
また、この帯状圧縮シート３を床面Ｆに固定する際に用いる接着剤５は、床面Ｆの材質又は帯状圧縮シート３の構成材料に応じて接着力をより強固に発揮し得るものを用いるのが好ましい。その接着剤５の例としては、合成ゴム、ラテックス、水性エマルジョン等を主成分とする接着剤、また天然ゴムラテックス、合成ゴムラテックス、酢酸ビニル系エマルジョン、アクリル系エマルジョン等を主成分とする接着剤等、通常のカーペットの敷設施工に使用可能な接着剤でよい。この接着剤５は、上記を成分とする溶液状の接着剤の他に、テープの両面に接着剤を設けた両面テープを使用してもよい。
【００３０】
一方、この帯状圧縮シート３に囲まれた内側の床面Ｆに固定するクッションシート４としては、上記の帯状圧縮シート３よりも密度が粗であって弾力性を有するクッション材料を用いる。その材料としては、例えば、内部に連続気泡を有する軟質ポリウレタンフォームを用いることにより、圧縮に対して高能率の復元性を有するクッション性能を発揮することが可能となる。さらに、チップウレタンフォーム、軟質ウレタン、発泡ポリエチレン等、合成樹脂中にガスを細かく分散させ、発泡状（フォーム）または多孔質形状に成形してなる発泡プラスチック等を用いてもよい。
【００３１】
また、このようなクッションシート４の厚さは、その素材がクッション性を有することから、その上方に敷設するカーペット２の重量によって厚さが容易に縮小するため、クッション性能を長期に亘って継続させる目的で、帯状圧縮シート３よりもやや厚く形成したものを用いるのが好ましい。
【００３２】
その例としては、帯状圧縮シート３が厚さ２ｍｍの場合、クッションシート４の厚さを３ｍｍにする。また、帯状圧縮シート３が厚さ４ｍｍの場合、クッションシート４の厚さを５ｍｍにする等である。さらに、このクッションシート４は、例えば幅１ｍの帯状に形成し、床面Ｆの面積に応じて、端部同士を接着テープ等で連結した状態で使用するのが好ましい。
【００３３】
また、このクッションシート４は帯状圧縮シート３に比べて広面積となるため、面方向の縮小変形又は拡大変形に対処する必要がある。このためクッションシート４の周辺部を床面Ｆに固定するようにしてもよい。そのため、クッションシート４の周辺部を床面Ｆに接着剤５で固定するとよいが、クッションシート４のクッション性をなるべく広範囲に確保するため、図１（ａ）、（ｂ）に示す幅Ｂ２として、例えば壁面Ｗより５００ｍｍ〜６００ｍｍの幅に限定して接着剤５を用いて固定するものとする。
【００３４】
このようにクッションシート４に対して接着剤５を使用した場合、接着剤５の塗布面は硬化してクッション性が劣化する傾向にあるが、床面Ｆの内方に接着剤５を塗布しない範囲を広く確保することによって、床面全体、特に主な居住空間となるカーペット２の中央部において良好なクッション性を確保することが可能となる。
【００３５】
なお、クッションシート４に使用する接着剤５は、帯状圧縮シート３を床面Ｆに固定する際に使用した接着剤５と同様のものを使用することが可能である。また、クッションシート４の内方面と床面Ｆとの間にラテックスを波状に塗ることによって、クッションシート４の面方向のずれを防止するようにすることも可能である。
【００３６】
さらに、図１（ａ）、（ｂ）に示すように、上記のように床面Ｆに固定したカーペット２の敷設用シート１、即ち帯状圧縮シート３とクッションシート４との上面にカーペット２を敷設する際、カーペット２の周辺の所定幅を少なくとも帯状圧縮シート３に対して接着剤５で固定する。この接着剤５は、帯状圧縮シート３を床面Ｆに固定する際に使用した接着剤５と同様のものを使用するとよい。このようにカーペット２の接着は、少なくとも床面Ｆの周辺に固定した帯状圧縮シート３の上面に対して行う。この帯状圧縮シート３は、上記のように、不織布等の繊維を圧縮することによって繊維の結合を強固にしたものであって接着性が強く、帯状圧縮シート３の上面に接着した後のカーペット２を剥がそうとする外力に対しても良好な耐久力を発揮することが可能である。
【００３７】
即ち、図４に示すように、カーペット２の周辺に沿って接着剤５で固定した帯状圧縮シート３に対してカーペット２の周辺部の上面を接着剤５で固定することによって、カーペット２を面方向に縮小したり拡大したりする引張り力Ｐに対して、反対方向の抵抗力Ｒを発揮することができる。これによって、帯状圧縮シート３はカーペット２の変形又はズレに対するストッパーの役割を果すことが可能となる。
【００３８】
また、図１（ａ）、（ｂ）において幅Ｂ３で示すように、帯状圧縮シート３の上面だけではなく、帯状圧縮シート３の上面とクッションシート４の周辺部の上面に連続的に塗布した接着剤５でカーペット２の周辺を固定する。即ち、例えば壁面Ｗから５００ｍｍ〜６００ｍｍの幅で帯状圧縮シート３の上面とクッションシート４の周辺部の上面に接着剤５を塗布してカーペット２の周辺部を固定することによって、カーペット２の面方向への縮小変形又はずれ等を防止することが可能となる。この場合、クッションシート４もまたその周辺部をカーペット２に固定したことによって、面方向への縮小変形又はずれ等を防止することが可能となる。
【００３９】
ここで、上記のようなカーペットの敷設用シートを用いたカーペット２の敷設施工法について説明する。図３（ａ）〜(ｄ)は、図１（ｂ）に示すように、壁面Ｗとの間に隙間Ｃを設けたものであり、ウィルトンカーペットを敷設施工するのに適するが、隙間Ｃを設けること以外の施工法としては、タフテッドカーペットに適用することも可能である。
【００４０】
まず、図３（ａ）に示すように、カーペット２を敷設すべき床面Ｆの周辺に沿って壁面Ｗから５ｍｍ程度の隙間Ｃを空け、所定幅の帯状圧縮シート３を接着剤５で固定する。この接着剤５としては、溶液状の接着剤のほかに、両面テープを使用してもよい。
【００４１】
次いで、図３（ｂ）に示すように、上記の帯状圧縮シート３に囲まれた内側の床面Ｆにクッション性を有してなるクッションシート４を固定する。このクッションシート４はその周辺部のみを床面Ｆに接着剤５で固定することによって接着剤５が設けられていないクッションシート４の内側面のクッション性を確保するようにするとよい。
【００４２】
次に、図３(ｃ)に示すように、床面Ｆに固定した帯状圧縮シート３とクッションシート４との上面に敷設したカーペット２の周辺を少なくとも帯状圧縮シート３に対して接着剤５で固定する。
【００４３】
なお、上記の施工方法において、床面Ｆに固定した帯状圧縮シート３とクッションシート４との上面に敷設したカーペット２の周辺を固定する際、帯状圧縮シート３の上面とクッションシート４の周辺部の上面に塗布した接着剤５で固定するようにしてもよい。なお、この接着剤５としては、溶液状の接着剤のほかに、両面テープを使用してもよい。
【００４４】
また、図３(ｄ)に示すように、床面Ｆに固定した帯状圧縮シート３とクッションシート４との上面に対して面積をやや大にして敷設したカーペット２の周辺を少なくとも帯状圧縮シート３に対して接着剤５で固定すると共に、カーペット２の外周端部を帯状圧縮シート３と壁面Ｗとの隙間Ｃに押し込むようにしてもよい。これによって、外周端部がほつれ易いウィルトンカーペットのほつれを防止することが可能となる。
【産業上の利用可能性】
【００４５】
本発明のカーペットの敷設用シート及びカーペットの敷設施工法は、カーペットを床面に敷設する際に使用していた従来のグリッパーを廃止することにより、上向きピンや釘打ち等の必要のない帯状圧縮シート材を用いてカーペットのストッパーとし、施工が容易であって、カーペットに変形が生じ難く、クッション性の良好な床環境を提供することができるカーペットの敷設用シート及びカーペットの敷設施工法として利用可能である。
【符号の説明】
【００４６】
１  敷設用シート
２  カーペット
３  帯状圧縮シート
４  クッションシート
５  接着剤
６  押し込み部
ＣＵＴ  切欠き線
Ｃ  隙間
Ｆ  床面
Ｒ  カーペットを面方向に引張る力に対する抵抗力
Ｐ  カーペットを面方向に引張る力
Ｗ  壁面
Ｌ  接着剤塗布の境界線
【図１】
2011241649.tif 000003
【図２】
2011241649.tif 000004
【図３】
2011241649.tif 000005
【図４】
2011241649.tif 000006